(57)【要約】【課題】  箱状の構造を持ち、自立可能で、上壁から前後の壁の上部にわたって開口し、手で拡げたり抑えたりすることなく開口形状が維持され、把手を持ち替えることなく開閉できる鞄を提供すること。【解決手段】  箱状の鞄において、把手基部２が上壁前部４と上壁後部７とに挟まれる位置にあって側壁１０に連なる梁３に連結されており、上壁前部４および前壁上部５の各々が前壁下部６に寄り添う位置へヒンジ１１，１２を介して移動することにより開口を成し、上壁後部７および後壁上部８の各々が後壁下部９に寄り添う位置へヒンジを介して移動することにより開口を成し、上壁前部４および上壁後部７のいずれもが単独では把手基部２を完全には囲まない形状であるようにすること。【選択図】図１
2016221208.tif 000002
【特許請求の範囲】
【請求項１】
箱状の鞄において、把手基部が上壁前部と上壁後部とに挟まれる位置にあって側壁に連なる梁に連結されており、上壁前部および前壁上部の各々が前壁下部に寄り添う位置へヒンジを介して移動することにより開口を成し、上壁後部および後壁上部の各々が後壁下部に寄り添う位置へヒンジを介して移動することにより開口を成し、上壁前部および上壁後部のいずれもが単独では把手基部を完全には囲まない形状であることを特徴とするもの。
【請求項２】
梁が側壁に対して移動可能である「請求項１」に記載の鞄。
【請求項３】
前壁下部および後壁下部の両方または片方が下壁に対して移動可能である「請求項１」または「請求項２」に記載の鞄。
【発明の詳細な説明】
【技術分野】
【０００１】  本発明は、把手を持ち替えることなく開閉できる鞄に関する。
【背景技術】
【０００２】  鞄に望まれる機能として、被収納物を変形や破損から保護する丈夫さを有し、置き場所の占有面積が少なく、被収納物の出し入れが容易であることが挙げられる。これらを満たすためには、箱状の構造を持ち、自立可能で、上壁から前後の壁の上部にわたって開口し、手で拡げたり抑えたりすることなく開口形状が維持されることが望ましい。これに該当するものとして、フライトケースと呼ばれるものがある。【０００３】  鞄に望まれる別の機能として、歩行している時や立ち止まっている時、素早く安定的な姿勢で、被収納物を容易に出し入れできることも挙げられる。これを満たすためには、把手を持ち替えることなく開閉できることが望ましい。しかし、フライトケースはこの条件を満たしていない。
【発明の概要】
【発明が解決しようとする課題】
【０００４】  本発明が解決しようとする課題は、箱状の構造を持ち、自立可能で、上壁から前後の壁の上部にわたって開口し、手で拡げたり抑えたりすることなく開口形状が維持され、把手を持ち替えることなく開閉できる鞄を提供することである。
【課題を解決するための手段】
【０００５】  本発明は、箱状の鞄において、把手基部が上壁前部と上壁後部とに挟まれる位置にあって側壁に連なる梁に連結されており、上壁前部および前壁上部の各々が前壁下部に寄り添う位置へヒンジを介して移動することにより開口を成し、上壁後部および後壁上部の各々が後壁下部に寄り添う位置へヒンジを介して移動することにより開口を成し、上壁前部および上壁後部のいずれもが単独では把手基部を完全には囲まない形状であることを特徴とする。【０００６】  また、追加的手段により、把手を把持していない時には、より大きな一つながりの開口が得られ、被収納物の出し入れがさらに容易になる。その手段を以下に２つ挙げる。１つ目は、梁が側壁に対して移動可能であるようにすることである。２つ目は、前壁下部および後壁下部の両方または片方が下壁に対して移動可能であるようにすることである。
【発明の効果】
【０００７】  本発明により、箱状の構造を持ち、自立可能で、上壁から前後の壁の上部にわたって開口し、手で拡げたり抑えたりすることなく開口形状が維持され、把手を持ち替えることなく開閉できる鞄が提供可能となる。【０００８】  また、追加的手段により、把手を把持していない時には、より大きな一つながりの開口が得られ、被収納物の出し入れがさらに容易になる。
【図面の簡単な説明】
【０００９】
【図１】  本発明の最も主要な特徴を示す形態（実施例１）の説明図である。開口途中の状態を示す。
【図２】  本発明の最も主要な特徴を示す形態（実施例１）の説明図である。閉口時の状態を示す。
【図３】  本発明の最も主要な特徴を示す形態（実施例１）の説明図である。開口時の状態を示す。
【図４】  側壁に垂直な回転軸を中心として梁が移動可能である形態（実施例２）の説明図である。梁を後壁側へ移動させた状態を示す。
【図５】  梁が側壁に対して着脱自在である形態（実施例３）の説明図である。梁を側壁から取り外した状態を示す。
【図６】  梁が上壁後部に連結されていて、上壁後部とともに移動可能である形態（実施例４）の説明図である。上壁前部および前壁上部の開口後、上壁後部および後壁上部を開口途中の状態を示す。
【図７】  前壁下部が下壁に対して移動可能である形態（実施例５）の説明図である。上壁前部、前壁上部、前壁下部を開口した状態を示す。
【発明を実施するための形態】
【００１０】  以下、本発明を実施するための形態について説明する。
【実施例１】
【００１１】  本発明の最も主要な特徴を示す形態の実施例を図１から図３に示す。図１は開口途中、図２は閉口時、図３は開口時の状態を示す。【００１２】  閉口時は板状の壁に囲まれた箱状であり、把手基部２は上壁前部４と上壁後部７とに挟まれる位置にあって、側壁１０に連なる梁３に連結されている。上壁前部４はヒンジ１１を介して前壁上部５に連結されている。前壁上部５はヒンジ１２を介して前壁下部６に連結されている。これらのヒンジ１１、１２は、連結対象部品の対向する位置を中心とする回転動作を可能にするものであり、例えば弾性体の柔軟性を利用して屈曲させるものでもよいし、非弾性体が軸を中心に回転するものでもよい。ヒンジ１１，１２を介した回転動作により、上壁前部４および前壁上部５は図３に示すように前壁下部６に寄り添う位置へ移動可能であり、閉口時に上壁前部４、前壁上部５のあった位置が開口部となる。さらに、把手基部２を挟んだ反対側にも上記と対称な構造を有する。上壁前部４および上壁後部７のいずれもが単独では把手基部２を完全には囲まない形状であり、これにより、把手１を持ち替えることなく開閉できる。【００１３】  なお、使用者の意に反して開口することのないよう、可動壁は留具（図示せず）により着脱自在に固定される。例えば、閉口時に可動壁と側壁１０とが接する位置に磁石を設けることができる。可動壁の固定をより確実にするため、錠前として機能する要素を磁石の代わりに、または磁石に加えて設けてもよい。
【実施例２】
【００１４】  実施例１に示した特徴に加え、側壁１０に垂直な回転軸１３を中心として梁３が移動可能である形態の実施例を図４に示す。梁３は、その両端および側壁１０に設けられた回転軸１３を中心として、前壁側または後壁側へ移動可能である。図４は、梁３を後壁側へ移動させた状態を示す。【００１５】  なお、使用者の意に反して梁３が回転することのないよう、梁３の固定と解除とを自在にする要素（図示せず）を設けることができる。
【実施例３】
【００１６】  実施例１に示した特徴に加え、梁３が側壁１０に対して着脱自在である形態の実施例を図５に示す。梁３は、例えばその両端に設けられた伸縮部１４により伸縮自在であり、梁３を縮めることにより、側壁１０に設けられた梁受け１５から取り外すことができる。図５は、梁３を側壁１０から取り外した状態を示す。梁３の着脱を自在にする機構は、梁３の伸縮に限らず、例えば側壁１０に設けられた機構によってもよい。【００１７】  なお、使用者の意に反して梁３が側壁１０から外れることのないよう、梁３の固定と解除とを自在にする要素（図示せず）を設けることができる。
【実施例４】
【００１８】  実施例３に示した特徴に加え、梁３が上壁後部７に連結されていて、上壁後部７とともに移動可能である形態の実施例を図６に示す。図６は、上壁前部４および前壁上部５の開口後、上壁後部７および後壁上部８を開口途中の状態を示す。
【実施例５】
【００１９】  実施例１に示した特徴に加え、前壁下部６が下壁１６に対して移動可能である形態の実施例を図７に示す。前壁下部６はヒンジ１７を介して下壁１６に連結されている。このヒンジ１７は、連結対象部品の対向する位置を中心とする回転動作を可能にするものであり、例えば弾性体の柔軟性を利用して屈曲させるものでもよいし、非弾性体が軸を中心に回転するものでもよい。ヒンジ１７を介した回転動作により、閉口時に上壁前部４、前壁上部５、前壁下部６のあった位置が開口部となる。後壁下部９にも上記と同様の構造を設けることができる。図７は、上壁前部４、前壁上部５、前壁下部６を開口した状態を示す。【００２０】  なお、使用者の意に反して開口することのないよう、可動壁は留具（図示せず）により着脱自在に固定される。例えば、閉口時に可動壁と側壁１０とが接する位置に磁石を設けることができる。可動壁の固定をより確実にするため、錠前として機能する要素を磁石の代わりに、または磁石に加えて設けてもよい。
【符号の説明】
【００２１】１  把手
２  把手基部
３  梁
４  上壁前部
５  前壁上部
６  前壁下部
７  上壁後部
８  後壁上部
９  後壁下部
１０  側壁
１１  ヒンジ
１２  ヒンジ
１３  梁の回転軸
１４  梁の伸縮部
１５  梁受け
１６  下壁
１７  ヒンジ
【図１】
2016221208.tif 000003
【図２】
2016221208.tif 000004
【図３】
2016221208.tif 000005
【図４】
2016221208.tif 000006
【図５】
2016221208.tif 000007
【図６】
2016221208.tif 000008
【図７】
2016221208.tif 000009